(57)【要約】【課題】トイレ用で広く普及している除菌液ディスペンサーまたは除菌液スプレーボトルおよびトイレットロールを活用の上で、手の指や掌の荒れを防いでひびやあかぎれを無くし、肌の弱い人でも心配が要らずに、便座を除菌できるようにする。【解決手段】ちぎって折り合わせたトイレットロール７に向き合い、撓りがよく面が主体のシリコンゴム、ニトリルゴム、天然ゴム、スチレンブタジエンゴム等のゴムのパッド１a・１bを有し、取っ手２を有する器具により解決する。【選択図】図６
2019176971.tif 000002
【特許請求の範囲】
【請求項１】
トイレ用で広く普及している除菌液ディスペンサーまたは除菌液スプレーボトルおよびトイレットロールを活用の上で、取っ手への力の入れ加減により便座の曲面に合わせて撓る厚さのゴムでできた面が主体のパッドであり、取っ手が有り全体がゴムでできた便座除菌用パッド器具。
【請求項２】
トイレ用でに広く普及している除菌液ディスペンサーまたは除菌液スプレーボトルおよびトイレットロールを活用の上で、取っ手への力の入れ加減により便座の曲面に合わせて撓る厚さのゴムでできた面が主体のパッドであり、取っ手が有る撓りよい樹脂のホルダー部にパッドを接合した便座除菌用パッド器具。
【発明の詳細な説明】
【技術分野】
【０００１】
本発明は、素手で除菌用のペーパーを持たずに便座を除菌するパッド器具に関するものである。
【背景技術】
【０００２】
家庭等に備え付けてある便座用の除菌液ディスペンサーや除菌液スプレーボトルを使う場合、トイレットロールをちぎって折り合わせたものを掌に持って、除菌液を浸み込ますようにしている。
そして、便座の除菌をするときは、折り合わせたトイレットロールを手の指乃至は掌で押さえて行っている。
【０００３】
しかし、除菌液がアルコール系である場合に、素早く除菌をでき直ぐに便座を使うことができるのであるが、手の指や掌が荒れてひびやあかぎれになりやすく、特に肌の弱い人は使うことができないことになる。
【０００４】
この改善策として、殺菌液をしみ込ませた下層部と水分を吸収しない上層部の互いに柔軟性のあるものを固着し、上層部の一辺を長くし折り曲げつまみ部分とした便座拭き取り殺菌具があるが、便器に流すことが不向きであり、殺菌液をしみ込ませた下層部を乾燥させないためにビニールチャット機能の付いたビニール袋等で保存しなければならない。
また、この便座拭き取り殺菌具は、広く普及しているところの除菌液ディスペンサーまたは除菌液スプレーボトルおよびトイレットロールを活用することがない。
【先行技術文献】
【特許文献】
【０００５】
【特許文献１】実開６３−１１５３９９号公報
【発明の概要】
【発明が解決しようとする課題】
【０００６】
解決しようとする問題点は、広く普及している除菌液ディスペンサーまたは除菌液スプレーボトルおよびトイレットロールを活用の上で、手の指や掌の荒れを防いでひびやあかぎれを無くし、肌の弱い人でも心配が要らずに、便座を除菌できるようにすることである。
【課題を解決するための手段】
【０００７】
本発明は、ちぎって折り合わせたトイレットロールに向き合う撓りよいゴムのパッドを有し、取っ手が有ることを特徴とする便座除菌用パッドの器具である。
【０００８】
本発明のパッド面と除菌液を浸み込ませたトイレットロールが広く接していれば、便座側より摩擦力が大きいので、除菌液を浸み込ませたトイレットロールから本発明のパッドはずれない。
【０００９】
ちぎって折り合わせたトイレットロールをパッド面に乗せた後、そのトイレットロールを手でパッド面に押してから除菌液を浸み込ませると、便座近くで裏返してトイレットロールをうまく便座に乗せることができる。
除菌液スプレーボトルを用いる場合なら、ちぎって折り合わせたトイレットロールを便座に乗せてからスプレーをかけてもよい。
【発明の効果】
【００１０】
本発明の便座除菌用パッド器具は、トイレ用で広く普及している除菌液ディスペンサーまたは除菌液スプレーボトルおよびトイレットロールを活用の上で、肌の弱い人でも手の指や掌が荒れてひびやあかぎれになるのを心配をせずに、素早く除菌でき直ぐに便座を使うことができるアルコール系の除菌液で除菌を行うことができる。
【図面の簡単な説明】
【００１１】
【図１】図１は全体がゴムで取っ手の支持部が両側にある便座除菌用パッド器具である。
【図２】図２はパッド部がゴムで取っ手の支持部が両側にある便座除菌用パッド器具である。
【図３】図３は全体がゴムでつまみ様の取っ手が中央にある便座除菌用パッド器具である。
【図４】図４は全体がゴムでスティック状の取っ手の支持部が中央にある便座除菌用パッド器具である。
【図５】図５はパッドに折り合わせたトイレットロールを乗せ除菌液を浸み込ませたときの斜視図である。
【図６】図６は便座除菌用パッド器具で便座を除菌する一例である。
【発明を実施するための形態】
【００１２】
取っ手２への力の入れ加減により便座９の曲面に合わせて撓る厚さのゴムでできた面が主体のパッド１a・１bであり、パッド面は方形や円形等にできる。
便座９に擦れ合わないために、パッドの面は折り合わせたトイレットロール７よりかなり小さい方が望ましい。
【００１３】
取っ手２は、色々な形状にすることができ、取っ手２の支持部の違いにより平らなパッド３や湾曲のパッド４の形状に造る。
【００１４】
パッドのゴムには、シリコンゴム、ニトリルゴム、天然ゴム、スチレンブタジエンゴム等があり、シリコンゴムについては透明系のものも用いることができる。。
【実施例１】
【００１５】
図１、図３および図４は、取っ手２が有り全体がゴムでできた便座除菌用パッド器具である。
【実施例２】
【００１６】
図２の実施例は、取っ手２が有る撓りよい樹脂のホルダー部５にパッド１bを接合した便座除菌用パッド器具であるが、樹脂はポリプロピレン等を用いる。
【００１７】
樹脂で造る色々な形状の取っ手２の支持部の違いにより、樹脂のホルダー部５を平らなパッド３や湾曲のパッド４の様な形状に造る。
【産業上の利用可能性】
【００１８】
本発明は、トイレに広く普及している除菌液ディスペンサーまたは除菌液スプレーボトルおよびトイレットロールをそのまま活用するための器具なので、普及させることができる。
【符号の説明】
【００１９】
１a    パッド
１b    パッド
２    取っ手
３    平らなパッド
４    湾曲のパッド
５    樹脂のホルダー部
６    フック穴
７    ちぎって折り合わせたトイレットロール
８    除菌液
９    便座
【図１】
2019176971.tif 000003
【図２】
2019176971.tif 000004
【図３】
2019176971.tif 000005
【図４】
2019176971.tif 000006
【図５】
2019176971.tif 000007
【図６】
2019176971.tif 000008
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
取っ手への力の入れ加減により便座の曲面に合わせて撓る厚さのゴムでできた面が主体のパッドを備え、折り合わせて除菌液を浸み込ませたトイレットロールを除菌時にパッドから摩擦力によりずらさない、取っ手が有り全体がゴムでできたパッド器具。
【請求項２】
取っ手への力の入れ加減により便座の曲面に合わせて撓る厚さのゴムでできた面が主体のパッドを備え、折り合わせて除菌液を浸み込ませたトイレットロールを除菌時にパッドから摩擦力によりずらさない、取っ手が有る撓りよい樹脂のホルダー部にパッドを接合したパッド器具。
【手続補正２】
【補正対象書類名】明細書
【補正対象項目名】０００９
【補正方法】変更
【補正の内容】
【０００９】
ちぎって折り合わせたトイレットロールをパッド面に乗せた後、トイレットロールに除菌液を浸み込ませると、便座近くで裏返してトイレットロールをうまく便座に乗せることができる。
除菌液スプレーボトルを用いる場合なら、ちぎって折り合わせたトイレットロールを便座に乗せてからスプレーをかけてもよい。
【手続補正３】
【補正対象書類名】明細書
【補正対象項目名】００１０
【補正方法】変更
【補正の内容】
【００１０】
本発明の便座除菌用パッド器具は、トイレ用で広く普及している除菌液ディスペンサーまたは除菌液スプレーボトルおよびトイレットロールを活用の上で、肌の弱い人でも手の指や掌が荒れてひびやあかぎれになるのを心配せずに、素早く除菌でき直ぐに便座を使うことができるアルコール系の除菌液で除菌を行うことができる。
折り合わせたトイレットロールとパッド面は、合わせるだけの取り付けであり、使用済みの折り合わせたトイレットロールを外すには、パッド器具を上げるだけでよい。
【手続補正４】
【補正対象書類名】明細書
【補正対象項目名】００１９
【補正方法】変更
【補正の内容】
【００１９】
１a    パッド
１b    パッド
２    取っ手
３    平らなパッド
４    湾曲のパッド
５    樹脂のホルダー部
６    パッド面の一方のフック穴
７    ちぎって折り合わせたトイレットロール
８    除菌液
９    便座